【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
交流電源から供給される交流電圧を整流、平滑して直流電圧に変換する順変換部と、
変換された直流電圧を交流電圧に変換して負荷に供給する逆変換部と、
前記順変換部の電源側に直列に接続されたリアクトルと、
前記リアクトルを介して前記交流電源を強制的に短絡通電させる昇圧回路と、
前記昇圧回路の短絡通電時間を変更制御する制御部と、
を備え、
前記交流電源が１００Ｖクラス電源であり、前記リアクトルのインダクタンスが４〜８ｍＨで、前記順変換部が倍電圧整流回路及び６００〜１０００μＦの容量を持った倍電圧用コンデンサを含み、かつ、前記入力電力が２０００Ｗ以下であるとき、前記制御部は１．５〜３．５ｍｓｅｃの範囲で前記交流電源を短絡通電させることを特徴とする電力変換装置。
【請求項２】
交流電源から供給される交流電圧を整流、平滑して直流電圧に変換する順変換部と、
変換された直流電圧を交流電圧に変換して負荷に供給する逆変換部と、
前記順変換部の電源側に直列に接続されたリアクトルと、
前記リアクトルを介して前記交流電源を強制的に短絡通電させる昇圧回路と、
前記昇圧回路の短絡通電時間を変更制御する制御部と、
を備え、
前記交流電源が２００Ｖクラス電源であり、前記リアクトルのインダクタンスが８〜２０ｍＨで、前記順変換部は全波整流回路及び１４００〜１８００μＦの容量を持った平滑コンデンサを含み、かつ、入力電力が２０００Ｗ以下であるとき、前記制御部は１．５〜３．５ｍｓｅｃの範囲で前記交流電源を短絡通電させることを特徴とする電力変換装置。
【請求項３】
交流電源から供給される交流電圧を整流、平滑して直流電圧に変換する順変換部と、
変換された直流電圧を交流電圧に変換して負荷に供給する逆変換部と、
前記順変換部の電源側に直列に接続されたリアクトルと、
前記リアクトルを介して前記交流電源を強制的に短絡通電させる昇圧回路と、
前記昇圧回路の短絡通電時間を変更制御する制御部と、
を備え、
前記交流電源が２００Ｖクラス電源であり、入力電力が２０００〜４０００Ｗであるとき、前記リアクトルとして１４〜２０ｍＨのものを選択して用いることを特徴とする電力変換装置。
【請求項４】
前記リアクトルとして１６ｍＨのものを用い、前記制御部は入力電力が２０００Ｗのとき約２．０〜２，５ｍｓｅｃの範囲で前記交流電源を短絡通電させ、入力電力が４０００Ｗのとき３．０〜３．５ｍｓｅｃの範囲で前記交流電源を短絡通電させ、入力電力が２０００〜４０００Ｗの途中の値ではこれらの短絡通電時間を直線補間した時間だけ前記交流電源を短絡通電させることを特徴とする請求項３に記載の電力変換装置。
【請求項５】
交流電源から供給される交流電圧を整流、平滑して直流電圧に変換する順変換部と、
変換された直流電圧を交流電圧に変換して負荷に供給する逆変換部と、
前記順変換部の電源側に直列に接続されたリアクトルと、
前記リアクトルを介して前記交流電源を強制的に短絡通電させる昇圧回路と、
前記昇圧回路の短絡通電時間を変更制御する制御部と、
を備え、
前記リアクトルとして、直列接続時の合成インダクタンスが所定値になるように、形状、インダクタンス及び固有振動数のうち、少なくとも一つが実質的に等しい複数のリアクトルを用い、
前記交流電源が２００Ｖクラス電源であり、入力電力が２０００〜４０００Ｗであるとき、前記複数のリアクトルの合成インダクタンスが１４〜２０ｍＨであるものを選択して用いることを特徴とする電力変換装置。
【請求項６】
交流電源から供給される交流電圧を整流、平滑して直流電圧に変換する順変換部と、
変換された直流電圧を交流電圧に変換して負荷に供給する逆変換部と、
前記順変換部の電源側に直列に接続されたリアクトルと、
前記リアクトルを介して前記交流電源を強制的に短絡通電させる昇圧回路と、
前記昇圧回路の短絡通電時間を変更制御する制御部と、
を備え、
前記リアクトルとして、直列接続時の合成インダクタンスが所定値になるように、形状、インダクタンス及び固有振動数のうち、少なくとも一つが実質的に等しい複数のリアクトルを用い、
インダクタンス及び固有振動数が実質的に等しい第１のリアクトル及び第２のリアクトルを用い、前記交流電源に前記順変換部を接続する一方の電源経路に前記第１のリアクトルを接続し、前記交流電源に前記順変換部を接続する他方の電源経路に前記第２のリアクトルを接続したことを特徴とする電力変換装置。
【請求項７】
請求項１乃至６のいずれかに記載の電力変換装置を用いて、冷凍サイクルを形成する圧縮機を駆動することを特徴とする空気調和機。
【請求項８】
運転停止時に、前記昇圧回路の短絡通電動作を停止した後に、前記圧縮機を停止させることを特徴とする請求項７に記載の空気調和機。
【手続補正２】
【補正対象書類名】明細書
【補正対象項目名】００１６
【補正方法】変更
【補正の内容】
【００１６】
請求項５に係る発明は、
交流電源から供給される交流電圧を整流、平滑して直流電圧に変換する順変換部と、
変換された直流電圧を交流電圧に変換して負荷に供給する逆変換部と、
順変換部の電源側に直列に接続されたリアクトルと、
リアクトルを介して交流電源を強制的に短絡通電させる昇圧回路と、
昇圧回路の短絡通電時間を変更制御する制御部と、
を備え、
リアクトルとして、直列接続時の合成インダクタンスが所定値になるように、形状、インダクタンス及び固有振動数のうち、少なくとも一つが実質的に等しい複数のリアクトルを用い、
前記交流電源が２００Ｖクラス電源であり、入力電力が２０００〜４０００Ｗであるとき、複数のリアクトルの合成インダクタンスが１４〜２０ｍＨであるものを選択して用いることを特徴とするものである。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
請求項６に係る発明は、交流電源から供給される交流電圧を整流、平滑して直流電圧に変換する順変換部と、
変換された直流電圧を交流電圧に変換して負荷に供給する逆変換部と、
順変換部の電源側に直列に接続されたリアクトルと、
リアクトルを介して交流電源を強制的に短絡通電させる昇圧回路と、
昇圧回路の短絡通電時間を変更制御する制御部と、
を備え、
リアクトルとして、直列接続時の合成インダクタンスが所定値になるように、形状、インダクタンス及び固有振動数のうち、少なくとも一つが実質的に等しい複数のリアクトルを用い、
インダクタンス及び固有振動数が実質的に等しい第１のリアクトル及び第２のリアクトルを用い、交流電源に順変換部を接続する一方の電源経路に第１のリアクトルを接続し、交流電源に順変換部を接続する他方の電源経路に第２のリアクトルを接続したことを特徴とするものである。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項７に係る発明は、請求項１乃至６のいずれかに記載の電力変換装置を用いて、冷凍サイクルを形成する圧縮機を駆動することを特徴とする空気調和機である。
【手続補正７】
【補正対象書類名】明細書
【補正対象項目名】００２１
【補正方法】変更
【補正の内容】
【００２１】
請求項８に係る発明は、請求項７に記載の空気調和機において、
運転停止時に、昇圧回路の短絡通電動作を停止した後に、圧縮機を停止させることを特徴とするものである。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】